(57)【要約】      （修正有）【課題】外部より色調を視認できる透明な容器に充填して光に晒しても変色しにくい、耐光性に優れたインキ組成物を提供する。【解決手段】水と赤色キサンテン染料およびベンゼン環とピラゾロン環を有し、共役二重結合を多く持ち、ベンゼン環には、スルホン基とハロゲン基が結合していてスルホン基は、Ｈ、Ｎａ、Ｋ、Ｌｉの元素によって、強い陰イオン性を持ち、キサンテン染料と電気的引力で強く結びつき、キサンテン染料が光に晒されて吸収した光エネルギーを共鳴振動エネルギーに変換すると考えられる化合物からなるインキ組成物。【選択図】なし【特許請求の範囲】
【請求項１】
水と、赤色キサンテン染料と、下記一般式（数１）で示される化合物とから少なくともなるインキ組成物。
【数１】
2010007028.tif 000009
【発明の詳細な説明】
【技術分野】
【０００１】
本発明は、外部より色や量が視認できる透明な容器に充填して光に晒しても変色しにくい、耐光性に優れた筆記具用水性インキ組成物に関する。
【背景技術】
【０００２】
従来より、筆記具のインキタンクを透明性又は半透明の材質にて形成し、インキ残量やインキ色を視認可能としたものが知られている。しかし、一般に染料は顔料に比べて耐光性が弱いので、染料インキを透明性の容器に充填して太陽光などの光に長時間晒すと、染料が変化して不溶化したり、分解などにより発色性が低下してインキの色が変化してしまい、筆跡の色調が初期と大きく異なってしまう問題があった。
特に、赤色キサンテン染料は、光で褪色し易いので、この染料を、単独もしくは混色して使用したインキを透明性の容器に充填して太陽光などの光に晒されると所望の色調が得られないという問題があった。
耐光性を向上させる手段として、インキ中に紫外線吸収剤やラジカル捕捉剤を添加することが知られている。例えば、ベンゾフェノン系、サリチル酸系、ベンゾトリアゾール系、シアノアクリレート系等の紫外線吸収剤やラジカル捕捉剤をインキ中に添加する方法がある。（特許文献１及び２）。
【特許文献１】特開昭６２−１０６９７１号公報
【特許文献２】特開平０９−２７９０８０号公報
【発明の開示】
【発明が解決しようとする課題】
【０００３】
この赤色キサンテン染料を使用したインキの変色は、上述の従来公知の紫外線吸収剤やラジカル捕捉剤を添加しても解決できなかった。
本発明は、鮮やかな赤色系インキ組成物を透明性の容器に充填して光に晒してもその色調が維持できるような、耐光性のある水性インキ組成物を得ることを目的とする。
【課題を解決するための手段】
【０００４】
本発明は、水と、赤色キサンテン染料と、下記一般式（数１）で示される化合物とから少なくともなるインキ組成物を要旨とする。
【数１】
2010007028.tif 000002
【発明の効果】
【０００５】
キサンテン染料は、分子内に陽イオン性の炭素を持つキサンテン構造を有する染料である。上記一般式（数１）にて示される化合物は、ベンゼン環とピラゾロン環からなり、共役２重結合を多く持つ共鳴しやすい物質である。
上記一般式（数１）にて示される化合物のスルホン基は、電気陰性度の高いハロゲン基によって、強い陰イオン性を持つこととなるため、キサンテン染料と電気的引力で強く結びつく。
そのため、キサンテン染料が光に晒されて吸収した光エネルギーは、電気的引力で結びついた上記一般式（数１）にて示される化合物のベンゼン環からピラゾロン環に電子共鳴として伝わり、共鳴構造を取りやすいケトン基を持つピラゾロン環で共鳴振動エネルギーに変換されるものと推察され、キサンテン染料が光に晒されても分解しなくなるので褪色しない。
【発明を実施するための最良の形態】
【０００６】
以下詳細に説明する。
水は水性インキ組成物の主液媒体である。
【０００７】
赤色キサンテン染料は各種公知の染料が使用可能である。
例を挙げると、Ｃ．Ｉ．アシッドレッド５０、同５１、同５２、同８７、同９１、同９２、同９３、同９４、同９５、同９８などの酸性染料、Ｃ．Ｉ．ベーシックレッド１などの塩基性染料があり、１種もしくは２種以上を混合して使用できる。
【０００８】
上記一般式（数１）に示される物質としては、１−（２−クロロ−３−スルホフェニル）−３−メチル−５−ピラゾロン、１−（４−クロロ−３−スルホフェニル）−３−メチル−５−ピラゾロン、１−（５−クロロ−３−スルホフェニル）−３−メチル−５−ピラゾロン、１−（６−クロロ−３−スルホフェニル）−３−メチル−５−ピラゾロン、１−（２−クロロ−４−スルホフェニル）−３−メチル−５−ピラゾロン、１−（３−クロロ−４−スルホフェニル）−３−メチル−５−ピラゾロン、１−（５−クロロ−４−スルホフェニル）−３−メチル−５−ピラゾロン、１−（６−クロロ−４−スルホフェニル）−３−メチル−５−ピラゾロン、１−（２−クロロ−５−スルホフェニル）−３−メチル−５−ピラゾロン、１−（３−クロロ−５−スルホフェニル）−３−メチル−５−ピラゾロン、１−（４−クロロ−５−スルホフェニル）−３−メチル−５−ピラゾロン、１−（６−クロロ−５−スルホフェニル）−３−メチル−５−ピラゾロン、１−（２−クロロ−３−スルホフェニル）−３−エチル−５−ピラゾロン、１−（４−クロロ−３−スルホフェニル）−３−エチル−５−ピラゾロン、１−（５−クロロ−３−スルホフェニル）−３−エチル−５−ピラゾロン、１−（６−クロロ−３−スルホフェニル）−３−エチル−５−ピラゾロン、１−（２−クロロ−４−スルホフェニル）−３−エチル−５−ピラゾロン、１−（３−クロロ−４−スルホフェニル）−３−エチル−５−ピラゾロン、１−（５−クロロ−４−スルホフェニル）−３−エチル−５−ピラゾロン、１−（６−クロロ−４−スルホフェニル）−３−エチル−５−ピラゾロン、１−（２−クロロ−５−スルホフェニル）−３−エチル−５−ピラゾロン、１−（３−クロロ−５−スルホフェニル）−３−エチル−５−ピラゾロン、１−（４−クロロ−５−スルホフェニル）−３−エチル−５−ピラゾロン、１−（６−クロロ−５−スルホフェニル）−３−エチル−５−ピラゾロン、１−（２−クロロ−３−スルホフェニル）−５−ピラゾロン、１−（４−クロロ−３−スルホフェニル）−５−ピラゾロン、１−（５−クロロ−３−スルホフェニル）−５−ピラゾロン、１−（６−クロロ−３−スルホフェニル）−５−ピラゾロン、１−（２−クロロ−４−スルホフェニル）−５−ピラゾロン、１−（３−クロロ−４−スルホフェニル）−５−ピラゾロン、１−（５−クロロ−４−スルホフェニル）−５−ピラゾロン、１−（６−クロロ−４−スルホフェニル）−５−ピラゾロン、１−（２−クロロ−５−スルホフェニル）−５−ピラゾロン、１−（３−クロロ−５−スルホフェニル）−５−ピラゾロン、１−（４−クロロ−５−スルホフェニル）−５−ピラゾロン、１−（６−クロロ−５−スルホフェニル）−５−ピラゾロン、１−（２−クロロ−３−スルホフェニル）−３−カルボキシ−５−ピラゾロン、１−（４−クロロ−３−スルホフェニル）−３−カルボキシ−５−ピラゾロン、１−（５−クロロ−３−スルホフェニル）−３−カルボキシ−５−ピラゾロン、１−（６−クロロ−３−スルホフェニル）−３−カルボキシ−５−ピラゾロン、１−（２−クロロ−４−スルホフェニル）−３−カルボキシ−５−ピラゾロン、１−（３−クロロ−４−スルホフェニル）−３−カルボキシ−５−ピラゾロン、１−（５−クロロ−４−スルホフェニル）−３−カルボキシ−５−ピラゾロン、１−（６−クロロ−４−スルホフェニル）−３−カルボキシ−５−ピラゾロン、１−（２−クロロ−５−スルホフェニル）−３−カルボキシ−５−ピラゾロン、１−（３−クロロ−５−スルホフェニル）−３−カルボキシ−５−ピラゾロン、１−（４−クロロ−５−スルホフェニル）−３−カルボキシ−５−ピラゾロン、１−（６−クロロ−５−スルホフェニル）−３−カルボキシ−５−ピラゾロン、１−（２，４−ジクロロ−３−スルホフェニル）−３−メチル−５−ピラゾロン、１−（２，５−ジクロロ−３−スルホフェニル）−３−メチル−５−ピラゾロン、１−（２，６−ジクロロ−３−スルホフェニル）−３−メチル−５−ピラゾロン、１−（４，５−ジクロロ−３−スルホフェニル）−３−メチル−５−ピラゾロン、１−（４，６−ジクロロ−３−スルホフェニル）−３−メチル−５−ピラゾロン、１−（５，６−ジクロロ−３−スルホフェニル）−３−メチル−５−ピラゾロン、１−（２，３−ジクロロ−４−スルホフェニル）−３−メチル−５−ピラゾロン、１−（２，５−ジクロロ−４−スルホフェニル）−３−メチル−５−ピラゾロン、１−（２，６−ジクロロ−４−スルホフェニル）−３−メチル−５−ピラゾロン、１−（３，５−ジクロロ−４−スルホフェニル）−３−メチル−５−ピラゾロン、１−（３，６−ジクロロ−４−スルホフェニル）−３−メチル−５−ピラゾロン、１−（５，６−ジクロロ−４−スルホフェニル）−３−メチル−５−ピラゾロン、１−（２，３−ジクロロ−５−スルホフェニル）−３−メチル−５−ピラゾロン、１−（２，４−ジクロロ−５−スルホフェニル）−３−メチル−５−ピラゾロン、１−（２，６−ジクロロ−５−スルホフェニル）−３−メチル−５−ピラゾロン、１−（３，４−ジクロロ−５−スルホフェニル）−３−メチル−５−ピラゾロン、１−（３，６−ジクロロ−５−スルホフェニル）−３−メチル−５−ピラゾロン、１−（４，６−ジクロロ−５−スルホフェニル）−３−メチル−５−ピラゾロン、１−（２，４−ジクロロ−３−スルホフェニル）−３−エチル−５−ピラゾロン、１−（２，５−ジクロロ−３−スルホフェニル）−３−エチル−５−ピラゾロン、１−（２，６−ジクロロ−３−スルホフェニル）−３−エチル−５−ピラゾロン、１−（４，５−ジクロロ−３−スルホフェニル）−３−エチル−５−ピラゾロン、１−（４，６−ジクロロ−３−スルホフェニル）−３−エチル−５−ピラゾロン、１−（５，６−ジクロロ−３−スルホフェニル）−３−エチル−５−ピラゾロン、１−（２，３−ジクロロ−４−スルホフェニル）−３−エチル−５−ピラゾロン、１−（２，５−ジクロロ−４−スルホフェニル）−３−エチル−５−ピラゾロン、１−（２，６−ジクロロ−４−スルホフェニル）−３−エチル−５−ピラゾロン、１−（３，５−ジクロロ−４−スルホフェニル）−３−エチル−５−ピラゾロン、１−（３，６−ジクロロ−４−スルホフェニル）−３−エチル−５−ピラゾロン、１−（５，６−ジクロロ−４−スルホフェニル）−３−エチル−５−ピラゾロン、１−（２，３−ジクロロ−５−スルホフェニル）−３−エチル−５−ピラゾロン、１−（２，４−ジクロロ−５−スルホフェニル）−３−エチル−５−ピラゾロン、１−（２，６−ジクロロ−５−スルホフェニル）−３−エチル−５−ピラゾロン、１−（３，４−ジクロロ−５−スルホフェニル）−３−エチル−５−ピラゾロン、１−（３，６−ジクロロ−５−スルホフェニル）−３−エチル−５−ピラゾロン、１−（４，６−ジクロロ−５−スルホフェニル）−３−エチル−５−ピラゾロン、１−（２，４−ジクロロ−３−スルホフェニル）−５−ピラゾロン、１−（２，５−ジクロロ−３−スルホフェニル）−５−ピラゾロン、１−（２，６−ジクロロ−３−スルホフェニル）−５−ピラゾロン、１−（４，５−ジクロロ−３−スルホフェニル）−５−ピラゾロン、１−（４，６−ジクロロ−３−スルホフェニル）−５−ピラゾロン、１−（５，６−ジクロロ−３−スルホフェニル）−５−ピラゾロン、１−（２，３−ジクロロ−４−スルホフェニル）−５−ピラゾロン、１−（２，５−ジクロロ−４−スルホフェニル）−５−ピラゾロン、１−（２，６−ジクロロ−４−スルホフェニル）−５−ピラゾロン、１−（３，５−ジクロロ−４−スルホフェニル）−５−ピラゾロン、１−（３，６−ジクロロ−４−スルホフェニル）−５−ピラゾロン、１−（５，６−ジクロロ−４−スルホフェニル）−５−ピラゾロン、１−（２，３−ジクロロ−５−スルホフェニル）−５−ピラゾロン、１−（２，４−ジクロロ−５−スルホフェニル）−５−ピラゾロン、１−（２，６−ジクロロ−５−スルホフェニル）−５−ピラゾロン、１−（３，４−ジクロロ−５−スルホフェニル）−５−ピラゾロン、１−（３，６−ジクロロ−５−スルホフェニル）−５−ピラゾロン、１−（４，６−ジクロロ−５−スルホフェニル）−５−ピラゾロン、１−（２，４−ジクロロ−３−スルホフェニル）−３−カルボキシ−５−ピラゾロン、１−（２，５−ジクロロ−３−スルホフェニル）−３−カルボキシ−５−ピラゾロン、１−（２，６−ジクロロ−３−スルホフェニル）−３−カルボキシ−５−ピラゾロン、１−（４，５−ジクロロ−３−スルホフェニル）−３−カルボキシ−５−ピラゾロン、１−（４，６−ジクロロ−３−スルホフェニル）−３−カルボキシ−５−ピラゾロン、１−（５，６−ジクロロ−３−スルホフェニル）−３−カルボキシ−５−ピラゾロン、１−（２，３−ジクロロ−４−スルホフェニル）−３−カルボキシ−５−ピラゾロン、１−（２，５−ジクロロ−４−スルホフェニル）−３−カルボキシ−５−ピラゾロン、１−（２，６−ジクロロ−４−スルホフェニル）−３−カルボキシ−５−ピラゾロン、１−（３，５−ジクロロ−４−スルホフェニル）−３−カルボキシ−５−ピラゾロン、１−（３，６−ジクロロ−４−スルホフェニル）−３−カルボキシ−５−ピラゾロン、１−（５，６−ジクロロ−４−スルホフェニル）−３−カルボキシ−５−ピラゾロン、１−（２，３−ジクロロ−５−スルホフェニル）−３−カルボキシ−５−ピラゾロン、１−（２，４−ジクロロ−５−スルホフェニル）−３−カルボキシ−５−ピラゾロン、１−（２，６−ジクロロ−５−スルホフェニル）−３−カルボキシ−５−ピラゾロン、１−（３，４−ジクロロ−５−スルホフェニル）−３−カルボキシ−５−ピラゾロン、１−（３，６−ジクロロ−５−スルホフェニル）−３−カルボキシ−５−ピラゾロン、１−（４，６−ジクロロ−５−スルホフェニル）−３−カルボキシ−５−ピラゾロン、１−（２−ブロモ−３−スルホフェニル）−３−メチル−５−ピラゾロン、１−（４−ブロモ−３−スルホフェニル）−３−メチル−５−ピラゾロン、１−（５−ブロモ−３−スルホフェニル）−３−メチル−５−ピラゾロン、１−（６−ブロモ−３−スルホフェニル）−３−メチル−５−ピラゾロン、１−（２−ブロモ−４−スルホフェニル）−３−メチル−５−ピラゾロン、１−（３−ブロモ−４−スルホフェニル）−３−メチル−５−ピラゾロン、１−（５−ブロモ−４−スルホフェニル）−３−メチル−５−ピラゾロン、１−（６−ブロモ−４−スルホフェニル）−３−メチル−５−ピラゾロン、１−（２−ブロモ−５−スルホフェニル）−３−メチル−５−ピラゾロン、１−（３−ブロモ−５−スルホフェニル）−３−メチル−５−ピラゾロン、１−（４−ブロモ−５−スルホフェニル）−３−メチル−５−ピラゾロン、１−（６−ブロモ−５−スルホフェニル）−３−メチル−５−ピラゾロン、１−（２−ブロモ−３−スルホフェニル）−３−エチル−５−ピラゾロン、１−（４−ブロモ−３−スルホフェニル）−３−エチル−５−ピラゾロン、１−（５−ブロモ−３−スルホフェニル）−３−エチル−５−ピラゾロン、１−（６−ブロモ−３−スルホフェニル）−３−エチル−５−ピラゾロン、１−（２−ブロモ−４−スルホフェニル）−３−エチル−５−ピラゾロン、１−（３−ブロモ−４−スルホフェニル）−３−エチル−５−ピラゾロン、１−（５−ブロモ−４−スルホフェニル）−３−エチル−５−ピラゾロン、１−（６−ブロモ−４−スルホフェニル）−３−エチル−５−ピラゾロン、１−（２−ブロモ−５−スルホフェニル）−３−エチル−５−ピラゾロン、１−（３−ブロモ−５−スルホフェニル）−３−エチル−５−ピラゾロン、１−（４−ブロモ−５−スルホフェニル）−３−エチル−５−ピラゾロン、１−（２−ブロモ−３−スルホフェニル）−５−ピラゾロン、１−（４−ブロモ−３−スルホフェニル）−５−ピラゾロン、１−（５−ブロモ−３−スルホフェニル）−５−ピラゾロン、１−（６−ブロモ−３−スルホフェニル）−５−ピラゾロン、１−（２−ブロモ−４−スルホフェニル）−５−ピラゾロン、１
−（３−ブロモ−４−スルホフェニル）−５−ピラゾロン、１−（５−ブロモ−４−スルホフェニル）−５−ピラゾロン、１−（６−ブロモ−４−スルホフェニル）−５−ピラゾロン、１−（２−ブロモ−５−スルホフェニル）−５−ピラゾロン、１−（３−ブロモ−５−スルホフェニル）−５−ピラゾロン、１−（４−ブロモ−５−スルホフェニル）−５−ピラゾロン、１−（６−ブロモ−５−スルホフェニル）−５−ピラゾロン、１−（６−ブロモ−５−スルホフェニル）−５−ピラゾロン、１−（２−ブロモ−３−スルホフェニル）−３−カルボキシ−５−ピラゾロン、１−（４−ブロモ−３−スルホフェニル）−３−カルボキシ−５−ピラゾロン、１−（５−ブロモ−３−スルホフェニル）−３−カルボキシ−５−ピラゾロン、１−（６−ブロモ−３−スルホフェニル）−３−カルボキシ−５−ピラゾロン、１−（２−ブロモ−４−スルホフェニル）−３−カルボキシ−５−ピラゾロン、１−（３−ブロモ−４−スルホフェニル）−３−カルボキシ−５−ピラゾロン、１−（５−ブロモ−４−スルホフェニル）−３−カルボキシ−５−ピラゾロン、１−（６−ブロモ−４−スルホフェニル）−３−カルボキシ−５−ピラゾロン、１−（２−ブロモ−５−スルホフェニル）−３−カルボキシ−５−ピラゾロン、１−（３−ブロモ−５−スルホフェニル）−３−カルボキシ−５−ピラゾロン、１−（４−ブロモ−５−スルホフェニル）−３−カルボキシ−５−ピラゾロン、１−（６−ブロモ−５−スルホフェニル）−３−カルボキシ−５−ピラゾロン、１−（２，４−ジブロモ−３−スルホフェニル）−３−メチル−５−ピラゾロン、１−（２，５−ジブロモ−３−スルホフェニル）−３−メチル−５−ピラゾロン、１−（２，６−ジブロモ−３−スルホフェニル）−３−メチル−５−ピラゾロン、１−（４，５−ジブロモ−３−スルホフェニル）−３−メチル−５−ピラゾロン、１−（４，６−ジブロモ−３−スルホフェニル）−３−メチル−５−ピラゾロン、１−（５，６−ジブロモ−３−スルホフェニル）−３−メチル−５−ピラゾロン、１−（２，３−ジブロモ−４−スルホフェニル）−３−メチル−５−ピラゾロン、１−（２，５−ジブロモ−４−スルホフェニル）−３−メチル−５−ピラゾロン、１−（２，６−ジブロモ−４−スルホフェニル）−３−メチル−５−ピラゾロン、１−（３，５−ジブロモ−４−スルホフェニル）−３−メチル−５−ピラゾロン、１−（３，６−ジブロモ−４−スルホフェニル）−３−メチル−５−ピラゾロン、１−（５，６−ジブロモ−４−スルホフェニル）−３−メチル−５−ピラゾロン、１−（２，３−ジブロモ−５−スルホフェニル）−３−メチル−５−ピラゾロン、１−（２，４−ジブロモ−５−スルホフェニル）−３−メチル−５−ピラゾロン、１−（２，６−ジブロモ−５−スルホフェニル）−３−メチル−５−ピラゾロン、１−（３，４−ジブロモ−５−スルホフェニル）−３−メチル−５−ピラゾロン、１−（３，６−ジブロモ−５−スルホフェニル）−３−メチル−５−ピラゾロン、１−（４，６−ジブロモ−５−スルホフェニル）−３−メチル−５−ピラゾロン、１−（２，４−ジブロモ−３−スルホフェニル）−３−エチル−５−ピラゾロン、１−（２，５−ジブロモ−３−スルホフェニル）−３−エチル−５−ピラゾロン、１−（２，６−ジブロモ−３−スルホフェニル）−３−エチル−５−ピラゾロン、１−（４，５−ジブロモ−３−スルホフェニル）−３−エチル−５−ピラゾロン、１−（４，６−ジブロモ−３−スルホフェニル）−３−エチル−５−ピラゾロン、１−（５，６−ジブロモ−３−スルホフェニル）−３−エチル−５−ピラゾロン、１−（２，３−ジブロモ−４−スルホフェニル）−３−エチル−５−ピラゾロン、１−（２，５−ジブロモ−４−スルホフェニル）−３−エチル−５−ピラゾロン、１−（２，６−ジブロモ−４−スルホフェニル）−３−エチル−５−ピラゾロン、１−（３，５−ジブロモ−４−スルホフェニル）−３−エチル−５−ピラゾロン、１−（３，６−ジブロモ−４−スルホフェニル）−３−エチル−５−ピラゾロン、１−（５，６−ジブロモ−４−スルホフェニル）−３−エチル−５−ピラゾロン、１−（２，３−ジブロモ−５−スルホフェニル）−３−エチル−５−ピラゾロン、１−（２，４−ジブロモ−５−スルホフェニル）−３−エチル−５−ピラゾロン、１−（２，６−ジブロモ−５−スルホフェニル）−３−エチル−５−ピラゾロン、１−（３，４−ジブロモ−５−スルホフェニル）−３−エチル−５−ピラゾロン、１−（３，６−ジブロモ−５−スルホフェニル）−３−エチル−５−ピラゾロン、１−（４，６−ジブロモ−５−スルホフェニル）−３−エチル−５−ピラゾロン、１−（２，４−ジブロモ−３−スルホフェニル）−５−ピラゾロン、１−（２，５−ジブロモ−３−スルホフェニル）−５−ピラゾロン、１−（２，６−ジブロモ−３−スルホフェニル）−５−ピラゾロン、１−（４，５−ジブロモ−３−スルホフェニル）−５−ピラゾロン、１−（４，６−ジブロモ−３−スルホフェニル）−５−ピラゾロン、１−（５，６−ジブロモ−３−スルホフェニル）−５−ピラゾロン、１−（２，３−ジブロモ−４−スルホフェニル）−５−ピラゾロン、１−（２，５−ジブロモ−４−スルホフェニル）−５−ピラゾロン、１−（２，６−ジブロモ−４−スルホフェニル）−５−ピラゾロン、１−（３，５−ジブロモ−４−スルホフェニル）−５−ピラゾロン、１−（３，６−ジブロモ−４−スルホフェニル）−５−ピラゾロン、１−（５，６−ジブロモ−４−スルホフェニル）−５−ピラゾロン、１−（２，３−ジブロモ−５−スルホフェニル）−５−ピラゾロン、１−（２，４−ジブロモ−５−スルホフェニル）−５−ピラゾロン、１−（２，６−ジブロモ−５−スルホフェニル）−５−ピラゾロン、１−（３，４−ジブロモ−５−スルホフェニル）−５−ピラゾロン、１−（３，６−ジブロモ−５−スルホフェニル）−５−ピラゾロン、１−（４，６−ジブロモ−５−スルホフェニル）−５−ピラゾロン、１−（２，４−ジブロモ−３−スルホフェニル）−３−カルボキシ−５−ピラゾロン、１−（２，５−ジブロモ−３−スルホフェニル）−３−カルボキシ−５−ピラゾロン、１−（２，６−ジブロモ−３−スルホフェニル）−３−カルボキシ−５−ピラゾロン、１−（４，５−ジブロモ−３−スルホフェニル）−３−カルボキシ−５−ピラゾロン、１−（４，６−ジブロモ−３−スルホフェニル）−３−カルボキシ−５−ピラゾロン、１−（５，６−ジブロモ−３−スルホフェニル）−３−カルボキシ−５−ピラゾロン、１−（２，３−ジブロモ−４−スルホフェニル）−３−カルボキシ−５−ピラゾロン、１−（２，５−ジブロモ−４−スルホフェニル）−３−カルボキシ−５−ピラゾロン、１−（２，６−ジブロモ−４−スルホフェニル）−３−カルボキシ−５−ピラゾロン、１−（３，５−ジブロモ−４−スルホフェニル）−３−カルボキシ−５−ピラゾロン、１−（３，６−ジブロモ−４−スルホフェニル）−３−カルボキシ−５−ピラゾロン、１−（５，６−ジブロモ−４−スルホフェニル）−３−カルボキシ−５−ピラゾロン、１−（２，３−ジブロモ−５−スルホフェニル）−３−カルボキシ−５−ピラゾロン、１−（２，４−ジブロモ−５−スルホフェニル）−３−カルボキシ−５−ピラゾロン、１−（２，６−ジブロモ−５−スルホフェニル）−３−カルボキシ−５−ピラゾロン、１−（３，４−ジブロモ−５−スルホフェニル）−３−カルボキシ−５−ピラゾロン、１−（３，６−ジブロモ−５−スルホフェニル）−３−カルボキシ−５−ピラゾロン、１−（４，６−ジブロモ−５−スルホフェニル）−３−カルボキシ−５−ピラゾロン、及びそれらのリチウム塩、ナトリウム塩、カリウム塩などがある。これらは１種もしくは２種以上併用できる。
【０００９】
赤色系インキ組成物の補色の着色剤としては、主に黄色染料があるが、少量ならば従来公知の染料が使用できる。
黄色染料の例を挙げると、Ｃ．Ｉ．ダイレクトエロー４、同２６、同４４、同５０、Ｃ．Ｉ．アシッドエロー１、同７、同１７、同１９、同２３、同２５、同２９、同３８、同４２、同４９、同６１、同７２、同７８、同１１０、同１２７、同１３５、同１４１、同１４２、Ｃ．Ｉ．フードエロー３、Ｃ．Ｉ．フードレッド１４等があり、他の染料の例を挙げると、Ｃ．Ｉ．ダイレクトブラック１７、同１９、同２２、同３２、同３８、同５１、同７１、ダイレクトレッド１、同４、同２３、同３１、同３７、同３９、同７５、同８０、同８１、同８３、同２２５、同２２６、同２２７、Ｃ．Ｉ．ダイレクトブルー１、同１５、同４１、同７１、同８６、同８７、同１０６、同１０８、同１９９）などの直接染料や、Ｃ．Ｉ．アシッドブラック１、同２、同２４、同２６、同３１、同５２、同１０７、同１０９、同１１０、同１１９、同１５４、Ｃ．Ｉ．アシッドレッド８、同９、同１４、同１８、同２６、同２７、同３５、同３７、同５７、同８２、同８３、同１１１、同１２９、同１３１、同１３８、同１８６、同２４９、同２５４、同２６５、同２７６、Ｃ．Ｉ．アシッドバイオレット１５、同１７、同４９、Ｃ．Ｉ．アシッドブルー１、同７、同９、同１５、同２２、同２３、同２５、同４０、同４１、同４３、同６２、同７８、同８３、同９０、同９３、同１００、同１０３、同１０４、同１１２、同１１３、同１５８、Ｃ．Ｉ．アシッドグリーン３、同９、同１６、同２５、同２７、Ｃ．Ｉ．アシッドオレンジ５６、Ｃ．Ｉ．アシッドブルー７４、Ｃ．Ｉ．アシッドグリーン５などの酸性用染料が挙げられる。
【００１０】
低温時での水性組成物の凍結防止、染料の可溶化剤、顔料の分散媒等、種々の品質を担う液媒体として、従来公知の水溶性有機溶媒が使用できる。具体例としては、エチレングリコール、ジエチレングリコール、トリエチレングリコール、プロピレングリコール、ポリエチレングリコール、ヘキシレングリコール、１，３−ブチレングリコール、チオジエチレングリコール、グリセリン等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル等のグリコールエーテル類、２−ピロリドン、Ｎ−メチル−２−ピロリドン等が挙げられる。
【００１１】
着色剤を定着させるためなどで各種樹脂を併用することもできる。例えば、セラック、スチレン−マレイン酸共重合体及びその塩、スチレン−アクリル酸共重合体及びその塩、α−メチルスチレン−アクリル酸共重合体及びその塩、アクリル樹脂、マレイン酸樹脂、尿素樹脂、ポリビニルブチラール、ポリビニルアセタール、ポリアミド樹脂、エポキシ樹脂、ポリビニルアルキルエーテル、クマロン−インデン樹脂、ロジン系樹脂やその水素添加物、ケトン樹脂、ポリアクリル酸ポリメタクリル酸共重合物などが挙げられる。
【００１２】
水性組成物としての適切な流動特性を得るために水溶性高分子化合物を用いることができる。例えば、アラビアガム、トラガカントガム、グァーガム、ローカストビーンガム、アルギン酸、カラギーナン、ゼラチン、カゼイン、キサンテンガム、デキストラン、ウェランガム、ラムザンガム、アルカガム、メチルセルロース、エチルセルロース、ヒドロキシエチルセルロース、カルボキシメチルセルロース、デンプングリコール酸ナトリウム、アルギン酸ナトリウム、アルギン酸プロピレングリコールエステル、ヒドロキシプロピル化グァーガム、メチルセルロース、エチルセルロース、ポリビニルアルコール、ポリビニルピロリドン、ポリビニルメチルエーテル、ポリアクリル酸、カルボキシビニルポリマー、ポリエチレンオキサイド、酢酸ビニルとポリビニルピロリドンの共重合体、アクリル樹脂塩、アクリル酸とアルキルメタクリレートの共重合体又はそれらの塩がある。
【００１３】
黴の発生を防止するために、デヒドロ酢酸ナトリウム、１，２−ベンゾイソチアゾリン−３−オン、安息香酸ナトリウム、モルホリン、モルホリン誘導体などの防腐防黴剤を適宜加えることもできる。
【００１４】
水性組成物のｐＨを調整するために、水酸化ナトリウム、水酸化リチウム、トリエタノールアミン、モノエタノールアミン、アミノメチルプロパンジオールなどの塩基性物質や、硫酸などの酸性物質を添加してもよい。
【００１５】
染料等の溶解促進や顔料等の分散安定性向上のために界面活性剤を配合しても良い。非イオン性界面活性剤としては、例えば、ポリオキシエチレン２〜３０モル付加オレイルエーテル、ポリオキシエチレン（２〜３５）ステアリルエーテル、ポリオキシエチレン（２〜２０）ラウリルエーテル、ポリオキシエチレン（１〜２０）アルキルフェニルエーテル、ポリオキシエチレン（６〜１８）ベヘニルエーテル、ポリオキシエチレン（５〜２５）２−デシルペンタデシルエーテル、ポリオキシエチレン（３〜３０）２−デシルテトラデシルエーテル、ポリオキシエチレン（８〜１６）２−オクチルデシルエーテル等のエーテル型活性剤、ポリオキシエチレン（４〜６０）硬化ヒマシ油、ポリオキシエチレン（３〜１４）脂肪酸モノエステル、ポリオキシエチレン（６〜３０）脂肪酸ジエステル、ポリオキシエチレン（５〜２０）ソルビタン脂肪酸エステル等のエステル型活性剤、ポリオキシエチレン（２〜３０）グリセリルモノイソステアレート、ポリオキシエチレン（１０〜６０）グリセリルトリイソステアレート、ポリオキシエチレン（７〜５０）硬化ヒマシ油モノイソステアレート、ポリオキシエチレン（１２〜６０）硬化ヒマシ油トリイソステアレート等のエーテルエステル型活性剤等のエチレンオキシド付加型界面活性剤、デカグリセリルテトラオレート、ヘキサグリセリルトリイソステアレート、ジグリセリルジイソステアレート、グリセリルモノオレエート等のグリセリン脂肪酸エステル等の多価アルコール脂肪酸エステル型界面活性剤が挙げられる。
また、ラウリルトリメチルアンモニウム塩、ステアリルトリメチルアンモニウム塩などのアルキルアンモニウム塩、ポリオキシエチレン（５〜２０）付加アンモニウム塩、アミドアミンなどのカチオン系界面活性剤、ラウリルジメチルアミノ酢酸ベタイン、椰子油脂肪酸アミドプロピルベタインなどの酢酸ベタイン型やアルキルヒドロキシエチルイミダゾリンなどのイミダゾリン型の両性界面活性剤、表面張力調整や消泡のためにポリエーテル変性シリコーンオイルなどのシリコン系界面活性剤やパーフルオロアルキルエーテルなどのフッ素系界面活性剤等を、さらに乾燥抑制のために尿素やソルビット、キシリット等の糖アルコールを、防錆のためにベンゾトリアゾール、エチレンジアミン四酢酸などを、さらに各種の香料などを用いることもできる。
【００１６】
水性組成物の製造方法としては従来知られている種々の方法が採用できる。例えば、ボールミル、ビーズミル、ロールミル、ヘンシェルミキサー、プロペラ撹拌機、ホモジナイザー、ニーダー等の装置を使用して作ることが出来る。濾過や遠心分離を行い粗大粒子や気体を除いても良い。製造時に加熱や冷却や加圧や減圧や不活性ガス置換をしても良い。動力は電気でも加圧空気でも良い。これらはそれぞれ単独で使用しても良いし、組み合わせて使用しても良い。
【００１７】
水性組成物を収容する容器は、ポリエチレン、ポリプロピレン、フッ素樹脂、シリコン樹脂等のインキの残量を確認できる透明又は半透明な高分子化合物が使用できる。容器の内部は中空でも繊維束やスポンジなどの吸蔵体を入れても良い。水性組成物が容器の内壁に付着することを抑制するためなど、必要に応じて容器内面にシリコン樹脂やフッ素樹脂などを塗布することもできる。後端開口する容器の場合には逆流防止体を配置してもよい。逆流防止体としては不揮発性液体をゲル化したものやスポンジ状のものなど各種公知のものが使用でき、不揮発性液体をゲル化した逆流防止体にさらにプラスチック製のフロートを浸漬するなどしてもよい。
【００１８】
筆記具の形態はボールペン、繊維芯、筆ペン、万年筆など、従来公知のものが使用できる。
【００１９】
ボールペンの場合は、ボールを回転自在に抱持するボールホルダーの材質には金属や合成樹脂が使用できる。金属としては洋白、真鍮、ステンレス等が、また合成樹脂としてはポリアセタール樹脂、ポリブチレンテレフタレート樹脂、芳香族ナイロン樹脂、変性ポリフェニレンエーテル樹脂、ポリアクリレート樹脂等が用いられる。
ボールペンのボールは、基材としてタングステンカーバイド等からなるいわゆる超硬合金、ステンレス、セラミックス、ルビーなど、ボールホルダーより硬い材料が好適に選択され、更に酸化チタン、酸化アルミニウム、酸化珪素から選ばれる１種もしくは２種以上を少なくとも表面に有するものである。
ボールの直径は０．１ｍｍから２．０ｍｍ程度までがよく使用されているがこれに限定するものではない。またペン先の密閉性を高めるために、ボールホルダー内にコイルスプリング等の弾性体を配置しても良い。
【００２０】
表１、２、３に実施例及び比較例のボールペン用インキの組成を示す。表中の数値は重量部を示す。
【００２１】
【表１】
2010007028.tif 000003
【００２２】
【表２】
2010007028.tif 000004
【００２３】
【表３】
2010007028.tif 000005
【００２４】
インキの調整
水に各成分を添加して、攪拌機で２時間撹拌した後、１マイクロメートルフィルターで濾過することで調整した。
【００２５】
サンプル作製
実施例１〜３８と比較例１〜５のインキを、外径４ｍｍ、内径３．０ｍｍの透明なポリプロピレン製パイプ（ぺんてる（株）製、Ｋ１０５部品）に充填長さが１００ｍｍになるように、各２本ずつ充填した。
２本ともパイプの両端を熱溶着して密封し、そのうちの１本はアルミ箔で全体を覆って遮光してサンプルＡとし、もう１本はそのままにしてサンプルＢとした。
【００２６】
サンプルＢを耐光試験機（キセノンウェザーメータＷＥＬ−２５ＡＸ、スガ試験機（株）製）を使用して、試料面放射照度３２０Ｗ／ｍ２（波長範囲  ３００−７００ｎｍ）の条件で、ブルースケール３級褪色（ＪＩＳ  Ｌ  ０８４１準拠）するまで露光して、サンプルＣとした。サンプルＡは室内にそのまま放置した。
【００２７】
インキ色調比較
サンプルＡとサンプルＣからインキを取り出し、線径３ミルのバーコータで上質紙（ＪＩＳ  Ｐ  ３２０１準拠）に均一に塗布して色片を作る。
乾燥後、同一のインキ同士で、サンプルＡとサンプルＣの色片の色度Ｌ＊、ａ＊、ｂ＊と色差ΔＥ＊を、カラーコンピュータ（ＳＭ−５、スガ試験機（株）製）で求めた。ΔＥ＊の値が小さいほど、変色が少ない（色度、色差ともＪＩＳ  Ｚ  ８７２３準拠）。インキ色調比較を表２に示す。
【００２８】
【表４】
2010007028.tif 000006
【００２９】
【表５】
2010007028.tif 000007
【００３０】
【表６】
2010007028.tif 000008
【００３１】
以上のように、本発明のインキは、鮮やかな赤系インキでありながら、外部より色調や残量を視認できる透明な容器に充填して光に晒しても変色しにくい、耐光性に優れたものである。